(57)【特許請求の範囲】
【請求項１】
接触端子と；
この接触端子を摺接させる所定導電パターンのランド部を有する回転可能なコード板と；
を備え、
上記コード板と接触端子とを相対摺動させて組付けるときこの接触端子が導入される該コード板の導入区間の外縁部に、この相対摺動方向と略直交する直線部を設けたことを特徴とするダイヤル機構。
【請求項２】
請求項１において、直線部は、コード板のランド部の形成領域と重ならない位置に形成された切欠における縁部であることを特徴とするダイヤル機構。
【請求項３】
請求項２において、切欠は、コード板の外縁部を構成し互いに略直交する少なくとも一対の直線状縁部によって形成されており、上記直線部は、この略直交関係にある一対の直線状縁部のうちの一方からなっていることを特徴とするダイヤル機構。
【請求項４】
請求項３において、切欠は、上記一対の直線状縁部を二組有する階段状をなし、直線部は、この二組の直線状縁部のうち互いに平行をなす２つの直線状縁部からなっていることを特徴とするダイヤル機構。
【請求項５】
請求項１において、コード板は略円形をなし、直線部は、この円形コード板の周縁部から外径方向へ張出形成された張出し部における縁部であることを特徴とするダイヤル機構。
【請求項６】
請求項１ないし５のいずれか１項において、コード板は、第１の支持部に枢着された操作ダイヤルに、この操作ダイヤルの軸部と略直交する平面方向に沿わせて固定され、複数の接触端子は、上記第１の支持部と対向する第２の支持部に、上記コード板のランド部と弾性接触可能に位置決め固定されていることを特徴とするダイヤル機構。
【請求項７】
請求項６において、第１の支持部は、カメラボディの外観を形成する前飾りであり、第２の支持部は、カメラボディ内に備えられた、上記前飾りとは別部材からなる支持板であり、コード板は、該前飾りに備えた軸孔を貫通した操作ダイヤルの軸部の先端に固定され、上記コード板と接触端子とにより撮影モード変更用ダイヤル機構が構成されていることを特徴とするダイヤル機構。
【請求項８】
相対回転する、接触端子と；この接触端子を摺接させる所定導電パターンのランド部を有する回転可能なコード板と；を備え、
このコード板と接触端子とを相対摺動させて組付けるときこの接触端子が導入される該コード板の導入区間の外縁部に、この相対摺動方向と略直交する直線部を設けたことを特徴とするダイヤル機構。
【請求項９】
接触端子と、この接触端子を摺接させる所定導電パターンのランド部を有する回転可能なコード板とを相対摺動させて組付けるとき、上記コード板の外縁部に備えた直線部をこの相対摺動方向と略直交させた状態で上記接触端子と摺接させることを特徴とするダイヤル機構の組立方法。
【発明の詳細な説明】
【０００１】
【発明の技術分野】
本発明は、コード板と接触端子とを摺接させて所定の信号を得るダイヤル機構に関する。
【０００２】
【従来技術及びその問題点】
従来のカメラには、ダイヤル機構として、カメラボディに回転自在に設けた操作ダイヤルの軸部に、この軸部と略直交する平面方向に向けて、所定の導電パターンのランド部を有するコード板を固定し、このコード板を、カメラボディに固定した複数の接触端子を備えた電気導通ブラシに接触させた状態で組付けたものがある。このダイヤル機構では、操作ダイヤルを回転させて、電気導通ブラシに対するランド部の接触状態を変化させることにより所定の信号を得ることができる。
【０００３】
ところで、このようなダイヤル機構を組立てる場合、コード板に対し、電気導通ブラシを操作ダイヤルの軸方向に相対移動させて接触させる際に問題はない。しかし、カメラによっては、カメラボディの内部構成部品に電気導通ブラシを固定してサブアッシーとし、カメラボディの前飾りに枢着した操作ダイヤルの軸部先端に該軸部と略直交させてコード板を固定してサブアッシーとし、これら両サブアッシーを相対移動させて組付ける場合がある。この組付け時、例えばコード板が円形状でその周縁部に円弧状のバリがある場合には、コード板に対して接近する接触端子がこのバリに引っ掛かってコード板の径方向外方に押し除けられることがある。通常、接触端子は、コード板と弾性接触する方向においては弾性によりある程度の変形に耐え得るが、複数の接触端子の並び方向つまりコード板の径方向外方の変形に対しては弱い。従って、接触端子がバリによってコード板の径方向外方に押圧されて塑性変形し、コード板のランド部と正常に接触できなくなる不具合を生じることとなる。
【０００４】
【発明の目的】
本発明は、上記問題点に基づき、コード板と接触端子を組付ける場合にこの接触端子を変形させることのないダイヤル機構、及びこのダイヤル機構の組立方法を提供することを目的とする。
【０００５】
【発明の概要】
上記目的を達成するための本発明のダイヤル機構は、接触端子と、この接触端子を摺接させる所定導電パターンのランド部を有する回転可能なコード板とを備え、上記コード板と接触端子とを相対摺動させて組付けるときこの接触端子が導入される該コード板の導入区間の外縁部に、この相対摺動方向と略直交する直線部を設けたことを特徴としている。
【０００６】
また本発明のダイヤル機構は、相対回転する、接触端子と、この接触端子を摺接させる所定導電パターンのランド部を有する回転可能なコード板とを備え、このコード板と接触端子とを相対摺動させて組付けるときこの接触端子が導入される該コード板の導入区間の外縁部に、この相対摺動方向と略直交する直線部を設けたことを特徴としている。
【０００７】
さらに本発明のダイヤル機構の組立方法は、接触端子と、この接触端子を摺接させる所定導電パターンのランド部を有する回転可能なコード板とを相対摺動させて組付けるとき、上記コード板の外縁部に備えた直線部をこの相対摺動方向と略直交させた状態で上記接触端子と摺接させることを特徴としている。
【０００８】
【発明の実施の形態】
以下図示実施例に基づいて本発明を説明する。図９は、本発明によるダイヤル機構を、複数の撮影モードを選択設定するカメラの撮影モード変更用ダイヤル機構に適用した一実施例を示す側面断面図である。
【０００９】
この撮影モード変更用ダイヤル機構は、同図に示すように、カメラボディの前飾り１１の上部に略鉛直方向に穿設した軸孔１１ａに軸部１３を回転自在に挿入した操作ダイヤル１２を有している。前飾り１１の内側において、軸部１３の先端部には、合成樹脂等の絶縁材料からなる略円形のコード板１５が、この軸部１３と略直交する平面方向に沿わせて固定されている。このコード板１５は、中心部に備えた略小判状のキー穴１６（図１参照）を、軸部１３先端部に設けた断面略小判状のキー部に嵌合させた状態で、この軸部１３に螺合された図示しないねじで固定されている。コード板１５はまた、裏面に、金属等の導電材料からなる所定導電パターンのランド部１７をキー穴１６を中心に備えている。操作ダイヤル１２は、図示しないクリックストップ機構により、コード板１５を電気導通ブラシ２０に対して図２〜図８に示す各回転位置で係止される。
【００１０】
また図９におけるコード板１５の下方には、カメラボディ内に備えた支持板１９に固定される上記電気導通ブラシ２０が位置している。この電気導通ブラシ２０は、図１に示すように、合成樹脂材料等の絶縁材料からなる支持体２１と、この支持体２１に、横一列に等間隔かつ同じ高さとなるように一部を埋め込まれて両端部を外方に突出させた４本の接触端子２２ａ、２２ｂ、２２ｃ、２２ｄを有している。互いに絶縁された該接触端子２２（ａ、ｂ、ｃ、ｄ）は、異なるリード線２３によってそれぞれ独立して制御基板（図示せず）に接続されている。接触端子２２（ａ、ｂ、ｃ、ｄ）はいずれも側面視において（図９参照）、自由端部が上方即ちコード板１５に向けて所定角度折曲されている。よって、接触端子２２（ａ、ｂ、ｃ、ｄ）それぞれの自由端部は、コード板１５に接触しない自由状態では該コード板１５を越えて上方に位置し、所定位置に組付けられた状態では該コード板１５に接して撓み、弾性的に接触する。
【００１１】
本実施例のダイヤル機構は、図９に示すように、上記支持板１９に電気導通ブラシ２０を固定したサブアッシーと、前飾り１１に枢着した操作ダイヤルの軸部１３の先端にコード板を固定したサブアッシーとを相対移動させて組立てられる。この組立時、コード板が図１０に示すように円形状で、その周縁部に円弧状のバリ１５Ａが残っていると、コード板１５′に接近する接触端子２２がこのバリ１５Ａに引っ掛かってコード板１５′の径方向外方に押し除けられることとなる。電気導通ブラシ２０の複数の接触端子２２（ａ、ｂ、ｃ、ｄ）は、コード板１５′に弾性接触する方向においてはある程度の変形に耐え得るが、複数の接触端子２２（ａ、ｂ、ｃ、ｄ）の並び方向（図１０矢印Ｂ方向）、つまりコード板の径方向外方の変形に対しては弱い。従って、接触端子２２がバリ１５Ａによってコード板１５′の径方向外方に押圧された場合には、この接触端子２２が塑性変形して、コード板１５′のランド部と正常に接触できなくなる不具合が生じる。
【００１２】
本発明によるコード板１５は、上述の問題を解消するため以下の特徴を備えている。すなわちこのコード板１５は、図１に示す状態において、このコード板１５と電気導通ブラシ２０とを矢印Ａ方向に接近させて相対摺動させながら組付けるとき、複数の接触端子２２（ａ、ｂ、ｃ、ｄ）を導入させる導入区間Ｅの外縁部に、該接触端子２２（ａ、ｂ、ｃ、ｄ）に対して傾斜しない（円弧状ではない）直線部１５ａ、１５ｂを有している。コード板１５には、ランド部１７を避ける（重ならない）位置に、略直交する二組の縁部からなる階段状の切欠が形成されており、直線部１５ａ、１５ｂは、この二組の縁部のうちの一方からなっている。すなわち、この直線部１５ａ、１５ｂは、上記階段状切欠においての一方向に向いた互いに平行な縁部であり、接触端子２２（ａ、ｂ、ｃ、ｄ）に対する相対移動時には、相対移動方向Ａに対して略直交状態とされる。従ってその場合に、直線部１５ａ、１５ｂは、接触端子２２（ａ、ｂ、ｃ、ｄ）の並び方向（同図矢印Ｂ方向）に対して略平行となる。
【００１３】
また、上記直線部１５ａ、１５ｂは、導入区間Ｅにおいて、切り欠かず逆に張出し部を形成し、この張出し部の縁部を直線部１５ｃとして構成することができる（図１の二点鎖線）。さらに、ランド部１７の形状によっては、階段状でなく図１の一点鎖線で示すような一段のみの切欠を形成し、その直交する二つの縁部のうち一方を直線部１５ｄとして構成することができる。これらの場合にも、直線部１５ａ、１５ｂと同様の作用効果を奏することができる。
【００１４】
直線部１５ａ、１５ｂは、コード板１５を接触端子２２に対して組付けたとき、このコード板１５の回転初期位置において複数の接触端子２２（ａ、ｂ、ｃ、ｄ）の並び方向（図１矢印Ｂ参照）と平行になるように位置される。組立状態において、コード板１５の接触端子２２に対する最大回転角度は、図示しない規制手段によって、上記回転初期位置から約２７０゜の範囲に定められている（図２〜図８参照）。これは、コード板１５が図８に示す角度以上に時計回りに回転すると、直線部１５ａ、１５ｂが接触端子２２から外れて反時計方向に戻せなくなるからである。
【００１５】
したがって、本発明による撮影モード変更用ダイヤル機構の組立ては次のように行なわれる。すなわち、図９に示すように、コード板１５と電気導通ブラシ２０をそれぞれに装着した両サブアッシーを互いに接近させてこのコード板１５と接触端子２２（ａ、ｂ、ｃ、ｄ）を相対摺動させる場合、先ず、操作ダイヤル１２を適宜回転させて、コード板１５の直線部１５ａ、１５ｂを相対摺動方向Ａと略直交するように位置決めしておく（図１参照）。この状態でコード板１５と接触端子２２が接近する場合に、コード板１５の周縁部にバリが残っていたとしても、導入区間Ｅにおける直線部１５ａ、１５ｂのバリは相対摺動方向Ａと略直交する直線状であるため、接触端子２２がコード板１５の径方向外方に押圧されるような力は働かない。従って、４本の接触端子２２（ａ、ｂ、ｃ、ｄ）はいずれも変形することなく、ランド部１７側に円滑に導かれて、このランド部１７との適正な接触位置に位置する。
【００１６】
このように組立てられた本モード変更スイッチは、次のように作動する。すなわち、操作ダイヤル１２を回転初期位置に位置させると、コード板１５は電気導通ブラシ２０に対して図２に示す位置関係となる。この状態では、接触端子２２ｄのみがランド部１７に接触しており、信号は発生しない。
【００１７】
この状態から操作ダイヤル１２が回転され、コード板１５が図２矢印Ｄ方向に回転して次なる係止位置で係止されると、該コード板１５は電気導通ブラシ２０に対して図３に示す位置関係となる。この状態では、接触端子２２ｂと２２ｄが導通して所定の信号を発生させる。
【００１８】
この状態から操作ダイヤル１２が同方向に回転され、コード板１５が電気導通ブラシ２０に対して図４に示す位置関係になると、接触端子２２ｂ、２２ｃ、２２ｄが互いに導通して所定の信号を発生させる。操作ダイヤル１２が同方向にさらに回転され、コード板１５が電気導通ブラシ２０に対して図５に示す位置関係になると、接触端子２２ａ、２２ｂ、２２ｃ、２２ｄの全てが互いに導通して、所定の信号を発生させる。そして、操作ダイヤル１２の同方向の回転によって、コード板１５が電気導通ブラシ２０に対して図６に示す位置関係になると、接触端子２２ａ、２２ｂ、２２ｄが互いに導通して所定の信号を発生させ、さらに図７に示す位置関係になると、接触端子２２ａ、２２ｄが互いに導通して所定の信号を発生させ、図８に示す位置関係になると、接触端子２２ａ、２２ｃ、２２ｄが互いに導通して所定の信号を発生させる。
【００１９】
なお、上記実施例では、本発明によるダイヤル機構を、カメラに設けた撮影モード変更用ダイヤル機構に関して説明したが、本発明はこの実施例に限定されることなく、ダイヤル機構を用いた他の機器にも用いることができる。
【００２０】
【発明の効果】
以上のように本発明によれば、コード板と接触端子を組付ける場合にこの接触端子を変形させることのないダイヤル機構、及びこのダイヤル機構の組立方法を提供することができる。
【図面の簡単な説明】
【図１】本発明によるダイヤル機構の組立時におけるコード板と接触端子との位置関係を示す平面図である。
【図２】組付け後における同ダイヤル機構の回転初期位置を示す平面図である。
【図３】同ダイヤル機構の操作位置を示す平面図である。
【図４】同ダイヤル機構の操作位置を示す平面図である。
【図５】同ダイヤル機構の操作位置を示す平面図である。
【図６】同ダイヤル機構の操作位置を示す平面図である。
【図７】同ダイヤル機構の操作位置を示す平面図である。
【図８】同ダイヤル機構の操作位置を示す平面図である。
【図９】同ダイヤル機構の組立時における二つのサブアッシーの位置関係を示す側面断面図である。
【図１０】コード板が円形状の場合の不具合を説明するための平面図である。
【図１１】コード板が円形状の場合の不具合を説明するための組付け状態での平面図である。
【図１２】コード板が円形の場合の不具合を説明するための組付け状態での側面図である。
【符号の説明】
１１  前飾り（第１の支持部）
１１ａ  軸孔
１２  操作ダイヤル
１３  軸部
１５  コード板
１５ａ  １５ｂ  １５ｃ  １５ｄ  直線部
１７  ランド部
１９  支持板（第２の支持部）
２０  電気導通ブラシ
２１  支持体
２２ａ  ２２ｂ  ２２ｃ  ２２ｄ  接触端子
Ａ  相対摺動方向
Ｂ  並び方向
Ｅ  導入区間
【図１】
0003762464.tif 000002
【図２】
0003762464.tif 000003
【図３】
0003762464.tif 000004
【図４】
0003762464.tif 000005
【図５】
0003762464.tif 000006
【図６】
0003762464.tif 000007
【図７】
0003762464.tif 000008
【図８】
0003762464.tif 000009
【図９】
0003762464.tif 000010
【図１０】
0003762464.tif 000011
【図１１】
0003762464.tif 000012
【図１２】
0003762464.tif 000013